(57)【要約】【課題】内視鏡を洗浄槽内の液体の中に浸漬させた状態で、内視鏡の内部に空気を注入して加圧し、内視鏡の内部から漏水箇所を通して外部に漏れ出す気泡を目視により発見することで漏水検知を行なう機能を有する内視鏡洗浄消毒装置において、周囲の明るさの状況に左右されることなく、常に一定の水準で気泡の確認をすることができ、正確な漏水検知を行なうことができる内視鏡洗浄消毒装置を提供する。【解決手段】内視鏡の内部に加圧気体を注入した状態で、内視鏡を洗浄槽に溜めた液体の中に浸漬させ、内視鏡の内部から漏水箇所を通して外部に漏れ出す気泡を目視により発見することで、漏水検知を行なう機能を有する内視鏡洗浄消毒装置において、洗浄槽を照明する照明手段を設けることによって、上記課題を解決する。【選択図】図１
2009077770.tif 000002
【特許請求の範囲】
【請求項１】
内視鏡の洗浄を行なう内視鏡洗浄消毒装置であって、
内視鏡を収容して洗浄を行なう洗浄槽と、
前記洗浄槽の蓋体と、
前記洗浄槽内を照明する照明手段と、
前記洗浄槽に前記内視鏡を浸漬した状態で、前記内視鏡内を加圧して、漏水検知を行なう機能とを有し、
前記照明手段は、前記漏水検知を行なっている際に、前記洗浄槽内を照明する内視鏡洗浄消毒装置。
【請求項２】
前記照明手段は、前記洗浄槽の底面から前記洗浄槽内を照明する請求項１に記載の内視鏡洗浄消毒装置。
【請求項３】
前記蓋体が透明である請求項１または２に記載の内視鏡洗浄消毒装置。
【発明の詳細な説明】
【技術分野】
【０００１】
本発明は、内視鏡の洗浄消毒を行なう内視鏡洗浄消毒装置に関し、詳しくは、内視鏡の漏水検知機能を持つ内視鏡洗浄消毒装置に関するものである。
【背景技術】
【０００２】
周知のように、内視鏡は、人体等の生体内に挿入されて、臓器の診断や治療、標本の採取等に使用される。
また、内視鏡は、基本的に、人体に挿入される挿入部、挿入部の操作や送気／送水などの内視鏡の操作を行なう操作部、送気源や吸引ポンプ等と接続されるコネクタ（ＬＧ（Light Guide）コネクタ）、および、コネクタと操作部および挿入部を接続するユニバーサルコード（ＬＧ軟性部）等から構成される。
【０００３】
内視鏡は、複数の患者に共通して、かつ、繰り返し使用される。そのため、使用後は、徹底した衛生管理を行なって、内視鏡を媒介とする細菌の感染等を完全に防止するために、１回使用する毎に、入念な洗浄を行なう必要がある。
そのために、内視鏡を自動洗浄する内視鏡洗浄消毒装置が、各種、実用化されている。
【０００４】
近年の内視鏡は、内視鏡全体を洗浄消毒するため、内視鏡全体が防水構造になっている。しかしながら、体内に挿入する挿入部のアングル部（湾曲部）や軟性部は、激しく可動させられる部分であり、損傷が進みやすい。また、内視鏡の内部のチャンネル（内視鏡内の管路（チャンネルチューブ））も検査中に内視鏡用注射針や、鉗子によって誤って孔を開けてしまい、破損することがある。
【０００５】
このような状態で、そのまま内視鏡の使用または洗浄を行なうと、内視鏡本体の内部に水道水、洗浄液や消毒液などの処理液が侵入し、固体撮像素子などの電気系の故障を招く原因となり、多大な修理費がかかってしまう。このため、内視鏡の各部、例えば湾曲部の外皮やチャンネルに発生した孔やひび割れ等を早期に発見し、未然に水漏れを防ぐ必要がある。
【０００６】
かかる理由から、内視鏡洗浄消毒装置では、内視鏡を洗浄する前もしくは洗浄の際に、故障原因となる内視鏡各部の外皮やチャンネルに発生した孔やひび割れ等のチェックを行なう漏水検知機能を有するものもある。この漏水検知の方法のひとつとして、内視鏡を洗浄槽内の液体の中に浸漬させた状態で、内視鏡のコネクタ部の加圧ポートから内視鏡の内部に空気を注入して加圧し、内視鏡の内部から漏水箇所を通して外部に漏れ出す気泡を目視により発見することで漏水検知を行なう気泡発見式漏水検知方式が知られている（特許文献１参照）。
【０００７】
【特許文献１】特開昭５８−１５９７２１号公報
【発明の開示】
【発明が解決しようとする課題】
【０００８】
しかしながら、上記気泡発見式漏水検知方式ではオペレータの目視による気泡の確認が不可欠であるが、内視鏡洗浄消毒装置が少し暗い場所に設置、あるいは室内照明や太陽光の位置によってオペレータの影で洗浄槽が暗くなってしまう位置に設置されると、気泡が見え難くなり、目視による気泡の確認が非常に難しいという問題があった。このような問題に対して、内視鏡洗浄消毒装置の配置を移動させて改善させることは可能であるが、配置したい場所には既に他の医療機器が置かれている場合も多く、さらに内視鏡洗浄消毒装置には、給水や排水などの配管も必要なことから、移動できる場所にも制限があり、現実問題として、一度設置されてしまうと簡単に移動できないのが実情であった。
【０００９】
本発明の目的は、上記従来技術の問題点を解消し、内視鏡を洗浄槽内の液体の中に浸漬させた状態で、内視鏡の内部に空気を注入して加圧し、内視鏡の内部から漏水箇所を通して外部に漏れ出す気泡の有無を目視により確認することで漏水検知を行なう機能を有する内視鏡の洗浄消毒装置において、洗浄槽がどのような明るさの場所に置かれても、容易に気泡を確認でき、正確に漏水検知を行なうことができる内視鏡洗浄消毒装置を提供するものである。
【課題を解決するための手段】
【００１０】
上記課題を解決するために、本発明は、内視鏡の洗浄を行なう内視鏡洗浄消毒装置であって、内視鏡を収容して洗浄を行なう洗浄槽と、前記洗浄槽の蓋体と、前記洗浄槽内を照明する照明手段と、前記洗浄槽に前記内視鏡を浸漬した状態で、前記内視鏡内を加圧して、漏水検知を行なう機能とを有し、前記照明手段は、前記漏水検知を行なっている際に、前記洗浄槽内を照明する内視鏡洗浄消毒装置を提供する。
【００１１】
ここで、前記照明手段は、前記洗浄槽の底面から前記洗浄槽内を照明することが好ましい。
また前記蓋体が透明であることもまた好ましい。
【発明の効果】
【００１２】
内視鏡を洗浄槽内の液体の中に浸漬させた状態で、内視鏡の内部に空気を注入して加圧し、内視鏡の内部から漏水箇所を通して外部に漏れ出す気泡の有無を目視により確認することで漏水検知を行なう機能を有する内視鏡の洗浄消毒装置において、洗浄槽内を照明する、照明手段を有することによって、内視鏡の漏水箇所から発生する気泡を容易に発見することができる。そのため、設置環境等に応じた周囲の明るさの状況に左右されることなく、常に一定の水準で気泡を確認することができ、正確な漏水検知を行なうことができる。
【発明を実施するための最良の形態】
【００１３】
以下、本発明の内視鏡洗浄消毒装置について、添付の図面に示される好適実施例を基に詳細に説明する。
図１に、本発明の内視鏡洗浄消毒装置の一例の概略図を示す。なお、図１において、（Ａ）は斜視図、（Ｂ）は側面図である。また、図２に、この内視鏡洗浄消毒装置の概略上面図（後述する蓋体２０は省略）を示す。
図１に示す内視鏡洗浄消毒装置１０（以下、洗浄消毒装置１０とする）は、内視鏡５０の自動洗浄を行なう装置である。この洗浄消毒装置１０は、内視鏡５０を収容して洗浄を行なう洗浄槽として、第１洗浄槽１４ａおよび第２洗浄槽１４ｂの、２つの洗浄槽（以下、両者をまとめて洗浄槽１４とも言う）を有し、２台の内視鏡５０を、同時に、かつ、非同期（独立して）で洗浄することが可能な装置である。
【００１４】
洗浄消毒装置１０は、洗浄液タンク１００、消毒液タンク１０２、および、アルコールタンク１０４の３つのタンクを有する。さらに、洗浄消毒装置１０は、洗浄液ポンプ１０６、消毒液ポンプ１０８、および、アルコールポンプ１１０等を有する。すなわち、洗浄消毒装置１０は、第１洗浄槽１４ａおよび第２洗浄槽１４ｂの２つの洗浄槽を有し、２台の内視鏡５０を同時、かつ、非同期に洗浄可能な装置であるが、洗浄液等の処理液を貯留するタンクや、処理液を供給するポンプは、２つの洗浄槽１４で共用する。
また、洗浄消毒装置１０内には、洗浄液や消毒液等による内視鏡の洗浄を行なうために、図４に示すような配管系が形成されている。
これらに関しては、後に詳述する。
【００１５】
洗浄消毒装置１０において、第１洗浄槽１４ａおよび第２洗浄槽１４ｂは、内視鏡５０を収容して、前記洗浄液による洗浄および洗浄後の水道水によるすすぎ（洗浄工程）、消毒液による消毒（消毒工程）、および、水道水によるすすぎ（すすぎ工程）の３つの工程を行なって、内視鏡５０の洗浄を行なうものである。
なお、これら洗浄消毒装置１０による内視鏡５０の洗浄は、後述する制御部６０によって制御される。
【００１６】
また、図示例の洗浄消毒装置１０は、２つの洗浄槽１４を有するが、本発明は、これに限定はされず、洗浄槽を１つのみ有するものであってもよく、あるいは、３以上の洗浄槽１４を有するものであってもよい。さらに、本発明の洗浄消毒装置において、洗浄槽１４の配列方向は、図示例の短手方向に限定はされず、長手方向に複数の洗浄槽１４を配列してもよい。
【００１７】
図示例の洗浄消毒装置１０においては、第１洗浄槽１４ａおよび第２洗浄槽１４ｂは、全く同じ構成を有するので、同じ部材には同じ符号を付し、以下の説明は、洗浄槽１４として行なう。
【００１８】
前述のように洗浄槽１４（第１洗浄槽１４ａおよび第２洗浄槽１４ｂ）は、内視鏡５０を収容して洗浄するもので、透明な蓋体２０によって、上面を開閉される。また、洗浄槽１４の下部には、図１に示すように、照明手段２００（第１洗浄槽１４ａの下部に設けられる照明手段２００ａおよび第２洗浄槽１４ｂの下部に設けられる照明手段２００ｂ）が設けられる。
【００１９】
照明手段２００は、洗浄槽１４内を照らすための照明であり、一例として、照明手段２００は、洗浄槽１４の底面２２から洗浄槽１４内を照らす。
後述するが、本発明の洗浄消毒装置１０においては、内視鏡５０各部の外皮やチャンネルに孔やひび割れ等の損傷が無いことを確認するために漏水検知を行なう。ここで、漏水検知は、内視鏡５０を洗浄槽１４内の液体の中に浸漬させた状態で、内視鏡５０の内部に空気を注入して加圧し、内視鏡５０の内部から漏水箇所を通して外部に漏れ出す気泡を目視により発見することで行なう。
【００２０】
すなわち、内視鏡５０の挿入部５２やユニバーサルコード５４は、外皮となるチューブ（管）の中に、鉗子チャンネルや送気／送水チャンネルなどになるチューブを通した、いわば二重構造を有する。
漏水検知は、内視鏡５０を水中に浸漬した状態で、所定の加圧ポート（漏水検知用口金）から、外皮となるチューブと、チャンネル等となるチューブとの間の空間に空気を導入して、加圧することで行なわれる。この加圧によって、チャンネルが損傷している場合には、チャンネル内に空気が進入して挿入部の先端（鉗子口や送気／送水口）から気泡が生じ、また、挿入部５２やユニバーサルコード５４の外皮となるチューブが損傷している場合には、チューブの損傷部から気泡が生じ、さらに、挿入部５２と操作部５６との接続部、ユニバーサルコード５４とコネクタ５８や操作部５６との接続部、各種の操作ボタン等に弛みやガタが生じている場合には、この部分から気泡が生じるので、この気泡を目視により確認することで、内視鏡５０内における漏水箇所を検知することができる。
【００２１】
しかしながら、従来の内視鏡洗浄消毒装置では、内視鏡洗浄消毒装置が暗い場所に設置、あるいは室内照明や太陽光の位置によってオペレータの影で洗浄槽５０が暗くなってしまう位置に設置されてしまうと、目視によって内視鏡５０の漏水箇所を通して外部に漏れ出す気泡を発見することが難しく、その結果、漏水検知が非常に難しいという問題がある。
【００２２】
本発明の洗浄消毒装置１０では、洗浄槽１４の下部に照明手段２００を設け、洗浄槽１４内を明るく照らし出すため、洗浄消毒装置１０が、洗浄槽１４が暗くなるような場所に設置されたとしても、内視鏡５０の漏水箇所から発生する気泡を目視によって容易に確認することができる。つまり、照明手段２００によって、洗浄槽１４内が明るく照らされているので、周囲の明るさの状況に左右されることなく、常に一定の水準で気泡の確認を行なうことができ、正確な漏水検知を行なうことができる。
【００２３】
照明手段２００による照明の色には、特に限定はなく、白色や赤など、各種の色が利用可能であるが、設置場所の照明光の色、洗浄槽１４の内側面の色などに応じて、漏水検知の際に内視鏡５０から生じる気泡が、視認し易くなる色とするのが好ましい。
また、洗浄消毒装置１０では、後述する第１エアポンプ１１４に代えて、ガスボンベなどを用いて有色の気体を内視鏡５０の内部に供給することができるようにしてもよい。このようにすることで、内視鏡５０の漏水箇所を通して処理液に漏れ出した気泡は、内視鏡５０内部に供給した気体の色に応じた色をしているため、気泡をより視認し易くなる。この場合には、この気体の色に応じて、照明光の色を気泡が目立つ色としてもよい。
あるいは、照明手段２００による照明光の色を可変にして、オペレータによる入力／指示等に応じて、照明光の色を変更するようにしてもよい。これにより、設置環境や気体の色、さらには、オペレータの好み等によって、より好適に漏水検知を行なうことが可能となる。
【００２４】
また、照明手段２００による照明光の光量にも特に限定はなく、洗浄槽１４の内壁面の色等に応じて、洗浄槽１４内を明るく照らし出せる光量であればよい。
あるいは、洗浄消毒装置１０に、設置環境の明るさを測定する光量センサを設けて、かつ、照明手段２００の照明光の光量を可変にして、例えば、設置環境が暗い場所の際には光量を高く、逆に、設置環境が明るい場所の際には光量を低くするように、照明手段２００の照明光の光量を自動調整するようにしてもよい。また、洗浄槽１４内の明るさを測定する光量センサを洗浄槽１４内に設け、洗浄槽１４内の光量が一定となるように照明手段２００の照明光の光量を自動調整してもよい。
さらに、照明手段２００の照明光の光量が可変である場合には、オペレータによる入力／指示等に応じて、光量を調整可能にしてもよいのは、もちろんである。
【００２５】
照明手段２００の位置には、特に限定はなく、洗浄槽１４の側面等、洗浄槽１４内を照明することができれば、どのような位置に設置してもよい。しかしながら、照明手段２００を図１に示すように洗浄槽１４の下部に設置し、底面２２から洗浄槽１４内を照明するのが好ましい。前述のように、漏水検知は、内視鏡５０を洗浄槽１４内の液体の中に浸漬させた状態で、内視鏡５０の内部に空気を注入して加圧し、内視鏡５０の内部から漏水箇所を通して外部に漏れ出す気泡の有無を目視により確認することで行なう。このとき、オペレータは、洗浄槽１４の上部から洗浄槽１４内を覗き込むようにして気泡の有無を確認する。従って、図示例のように、照明手段２００が洗浄槽１４の下部に設けられ、洗浄槽１４の底面２２から洗浄槽１４内を照らしだすことで、オペレータによる気泡の有無の確認をより容易に行なうことができる。
【００２６】
本発明の洗浄消毒装置１０において、照明手段２００として用いる照明には、特に限定はなく、公知の照明手段が各種利用可能であるが、好ましくは、洗浄槽１４の底面２２を広い範囲で発光させ、視認性を良好にするために、二次元的な発光領域を有する面発光素子が使用される。
このような面発光素子としては、例えば、発光ダイオード（ＬＥＤ）等の点光源を二次元的に配列してなる構成、有機エレクトロルミネッセンス（有機ＥＬ）素子、蛍光灯等の棒状光源を長手方向と直交する方向に配列してなる構成、ハロゲンランプ等の光源を二次元的に配列してなる構成、導光板に側面からＬＥＤや蛍光灯によって光をあてた構成等が例示される。
【００２７】
照明手段２００による照明光の色を可変にする際における照明光の色の変更手段にも、特に限定はなく、例えば、赤（Ｒ）、緑（Ｇ）および青（Ｂ）の光源を設け、照明光の色に応じて、点灯する光源の色や光量を変える、通常の方法によればよい。
【００２８】
洗浄槽１４は、内視鏡５０を収納して、洗浄を行なう筐体であり、少なくとも底面２２が透明な材料で構成されている。あるいは、底面２２が照明手段２００の発光面で構成してもよい。
前述のように、洗浄槽１４の下部に設けられた照明手段２００は、洗浄槽１４の底面２２から洗浄槽１４内を照明する。そのため、洗浄槽１４が透明な部材で構成されていれば、照明手段２００からの照明光によって洗浄槽１４内を照明することができる。
【００２９】
なお、洗浄槽１４を構成する透明材料としては、塩化ビニル、ポリカーボネイド等、洗浄槽１４として利用できる程度の剛性を有し、また洗浄液や消毒液など、内視鏡５０の洗浄で用いられる各種の処理液に対して耐性を有するものであれば、公知の種々の透明材料が使用可能である。
【００３０】
本発明の洗浄消毒装置１０においては、図１に示すように、洗浄槽１４は、長尺な形状（平面形状）を有する。
この洗浄消毒装置１０においては、内視鏡５０は、通常、図２に示すように、内視鏡５０の挿入部５２やユニバーサルコード５４を二つ折り（長い内視鏡の場合にはつづら折り）にされて洗浄槽１４に収容され、洗浄槽１４は、底面（床面）２２に載置するようにして、１台の内視鏡５０を収容するが、図１に示すように、洗浄槽１４は、その底面２２が、洗浄槽１４の長手方向に傾斜している。
なお、図１および図２では、本発明の構成を明瞭に示すために省略するが、洗浄槽１４の内部には、鉗子チャンネルや送気／送水チャンネル等の内視鏡５０の各チャンネル（その口金や接続部）を接続するためのポート、および、洗浄水等の処理液を洗浄槽１４内に導入するための導入口等が設けられる。これらに関しては、後に詳述する。
【００３１】
また、洗浄消毒装置１０において、蓋体２０は、図１（Ｂ）に示すように、支点２４を中心に回動することで、洗浄槽１４（その上面）を開閉する。
ここで、図示例の洗浄消毒装置１０は、好ましい構成として、傾斜する底面２２の下部側に、蓋体２０を開閉するための支点（回転軸）２４が設けられている。すなわち、洗浄消毒装置１０において、蓋体２０は、傾斜する底面２２の上部側の端部が上下動するように回動して、洗浄槽１４を開閉する。さらに、洗浄消毒装置１０を操作する操作パネル２６、内視鏡洗浄のスタートボタン２８、蓋体２０を開閉するためのフットペダル３０（第１洗浄槽１４ａ用のペダル３０ａおよび第２洗浄槽１４ｂ用のフットペダル３０ｂ）などの洗浄消毒装置１０において定常的な洗浄で使用する操作手段も、洗浄槽１４の底面２２の上部（上端）側（好ましくは洗浄消毒装置１０の、同上部側の端部近傍、および／または、同上部側の端面）に設けられている。
すなわち、洗浄消毒装置１０は、好ましい態様として、洗浄槽１４の傾斜する底面２２の上部側で、蓋体２０が開閉し、また、内視鏡５０の洗浄の各操作を行なう側（前面）となる。
【００３２】
また、蓋体２０は、支点を中心として回動して開閉する構成に限定はされず、スライド式の蓋体（シャッタ）であってもよい。
【００３３】
洗浄消毒装置１０は、洗浄槽１４が、このように長尺で、かつ、底面２２が長手方向に傾斜する構成を有することにより、洗浄する内視鏡５０の洗浄消毒装置１０へのセット、すなわち、洗浄槽１４の所定位置への内視鏡５０の収容を、簡易かつ迅速に行なうことを可能にしたものである。
また、洗浄槽１４は長尺ではあるが、底面２２が傾斜していることで、水平距離は短くなるので、オペレータが小柄で、手の短い人でも、楽に内視鏡５０をセットできる。
また、長尺な洗浄槽１４を有することにより、長手方向と直交する方向（以下、幅方向とする）に洗浄槽１４を配列すれば、装置が、それほど大型化することもない。
【００３４】
また、洗浄槽１４の底面２２（底面２２が好ましいが、洗浄槽１４の内側面でも可）には、内視鏡５０の操作部５６、コネクタ５８、ユニバーサルコード５４、挿入部５２等の各部を位置決めするための位置決め手段を有する。
【００３５】
図２に示す洗浄槽１４においては、上部側の底面２２に立設するように、内視鏡５０の操作部５６に係合して位置決めする係合部材３４（３４ａおよび３４ｂ）と、同じく、コネクタ５８に係合して位置決めする係合部材３６（３６ａおよび３６ｂ）とを有する。従って、内視鏡５０は、係合部材３４によって操作部５６を位置決めされ、係合部材３６によってコネクタ５８を位置決めされて、洗浄消毒装置１０すなわち、洗浄槽１４（底面２２）の所定位置にセットされる。
【００３６】
本発明の洗浄消毒装置１０において、洗浄槽１４の蓋体２０の形状にも、特に限定はなく、洗浄槽１４（槽内）を閉塞、好ましくは略気密（特に好ましくは気密）に閉塞できるものであれば、洗浄槽１４の形状に応じた、各種の構成や形状のものが利用可能である。
なお、図示例の洗浄消毒装置１０においては、蓋体２０の開閉は、各種の内視鏡洗浄消毒装置と同様に、洗浄消毒装置１０の前面側に設けられたフットペダル３０によって行なう。フットペダル３０による蓋体２０の開閉は、各種の内視鏡洗浄消毒装置で行なわれている公知の手段を利用すればよい。
【００３７】
前述のように、蓋体２０は、透明な材料で構成されることが好ましい。
後述する内視鏡５０を洗浄槽１４内の液体の中に浸漬させた状態で、内視鏡５０の内部に空気を注入して加圧し、内視鏡５０の内部から漏水箇所を通して外部に漏れ出す気泡を目視により確認することにより漏水箇所の検知を行なう漏水検知においては、洗浄槽１４内を洗浄槽１４の上側から目視によって覗き込み、気泡を有無を確認する。従って、蓋体２０を透明にすることにより、洗浄のための内視鏡５０を洗浄槽１４内にセットして、蓋体２０を閉塞したまま、漏水検知を行なうことが可能になる。また、蓋体２０を透明な材料で構成することで、洗浄中も、内視鏡５０の状態を確認することができる。
なお、蓋体２０を構成する透明な材料としては、洗浄槽１４と同様に、塩化ビニル、ポリカーボネイド等、洗浄槽１４として使用できる程度の剛性を有し、また洗浄液や消毒液など、内視鏡５０の洗浄で用いられる各種の溶液に対して耐性を有するものであれば、公知の種々の透明な材料が使用可能である。
【００３８】
ここで、本発明においては、蓋体２０は、単なる板状ではなく、洗浄槽１４の底面２２と対面する側（以下、蓋体２０の下面とする）に、閉塞した際に底面２２と同方向に傾斜する領域を有するのが好ましい。このようにすることで、洗浄槽１４内部上方の内視鏡５０が存在しない無駄な空間を、蓋体２０で埋めてしまうことができる。その結果、少ない処理液での内視鏡５０の洗浄が可能になり、不要な処理液を使用することが無い、ランニングコストおよび環境性能に優れた洗浄消毒装置１０を実現できる。
【００３９】
制御部６０は、後述する漏水検知工程における照明手段２００の照明光の色の変更や光量の調整等、第１洗浄槽１４ａおよび第２洗浄槽１４ｂにおける洗浄消毒の工程を制御する。図３は、制御部の概略構成を概念的に示すブロック図である。
図３に示すように、制御部６０は、ＣＰＵ６２、ＲＡＭ６４、ＲＯＭ６６、Ｉ／Ｏ制御回路６８、通信Ｉ／Ｆ回路７０、パネルＩ／Ｆ回路７２、照明Ｉ／Ｆ回路７４、クロック７６、リセット回路７８、負荷部品駆動回路８０、センサＩ／Ｆ回路８２、および、Ａ／Ｄ変換回路８４を有する。
【００４０】
ＣＰＵ６２は、洗浄消毒装置１０における洗浄消毒処理を制御するためのもので、第１洗浄槽１４ａおよび第２洗浄槽１４ｂの２つの槽に対して１つのＣＰＵ６２で制御する。
【００４１】
ＲＯＭ６６は、洗浄消毒処理制御プログラムを含む各種アプリケーションプログラムを記憶する。記憶された洗浄プログラムを含む各種アプリケーションプログラムは、ＣＰＵ６２によってＲＯＭ６６から読み出され、ＲＡＭ６４にセットされる。ＲＡＭ６４は、洗浄消毒装置１０における洗浄消毒の履歴データを記憶する。ＲＯＭ６６には、洗浄消毒装置１０が備える洗浄槽の数に対応する洗浄消毒処理制御プログラムのみを記憶させておき、ＣＰＵ６２が常にそのプログラムを読み出すようにしてもよい。あるいは、ＲＯＭ６６に、１槽から任意の複数槽の各構成に対応する複数の洗浄消毒処理制御プログラムを記憶させておき、ＣＰＵ６２が実際の構成に対応するプログラムを選択してＲＯＭ６６から読み出すようにしてもよい。
【００４２】
負荷部品駆動回路８０は、図４に示したポンプ類、電磁バルブ、ヒータ（Ｈ）の駆動回路である。
センサＩ／Ｆ回路８２は、タンクや洗浄槽の水位を検出するレベルセンサ（１０２Ｌ、１４２ａ、１４２ｂ）、洗浄槽１４ａ、１４ｂの蓋の開閉を検出するセンサ、その他の洗浄消毒装置１０に設けられるセンサのインターフェースである。
Ａ／Ｄ変換回路８４は、温度センサ（ＴＥ）や、圧力センサ（ＰＥ）のアナログの出力値をＡ／Ｄ変換する。
【００４３】
通信Ｉ／Ｆ回路７０は、洗浄消毒装置１０に備えられたＬＡＮ接続部８６、ＲＦＩＤ  Ｒ／Ｗ８８部、およびプリンタ９０との通信インターフェース回路である。
洗浄消毒装置１０は、ＬＡＮ接続部８６により、制御部６０を病院内のネットワーク等に接続して、洗浄消毒装置１０における洗浄消毒の履歴データを通信することができる。
ＲＦＩＤ  Ｒ／Ｗ部８８では、ＲＦＩＤ（Radio Frequency Identification System）を利用した洗浄消毒に関する情報の読み出し／書込みが行なわれる。
プリンタ９０からは、履歴管理データをプリントすることができる。このプリンタ９０は、洗浄消毒装置１０に搭載されたものでもよいし、外部のプリンタでもよい。
【００４４】
パネルＩ／Ｆ回路７２は、洗浄消毒装置１０の表示・操作パネルとのインターフェースである。表示・操作パネルは、洗浄消毒装置１０に関する情報を表示するためのものであり、また、オペレータからの支持を入力できるタッチパネルとしても機能する。
【００４５】
照明Ｉ／Ｆ回路７４は、洗浄消毒装置１０に設けられた照明手段２００とのインターフェースである。
【００４６】
図４に、図示例の（内視鏡）洗浄消毒装置１０の配管系統の概略を示す。
前述のように、洗浄消毒装置１０は、第１洗浄槽１４ａおよび第２洗浄槽１４ｂの２つの洗浄槽を有する。
しかしながら、図示例の洗浄消毒装置１０は、内視鏡の洗浄を行なうための処理液を貯留するタンク、すなわち、洗浄液を貯留する洗浄液タンク１００、消毒液を貯留する消毒液タンク１０２、および、内視鏡５０の各チャンネル内にアルコールを送水、排出および送気して各チャンネル内の乾燥を促進するためのアルコールフラッシュ用のアルコールを貯留するアルコールタンク１０４は、共に１つしか有さず、すなわち、第１洗浄槽１４ａおよび第２洗浄槽１４ｂで共用する。
【００４７】
また、洗浄液タンク１００から洗浄槽１４に洗浄液を供給する洗浄液ポンプ１０６、消毒液タンク１０２から洗浄槽１４に消毒液を供給する消毒液ポンプ１０８、および、アルコールタンク１０４から洗浄槽１４にアルコールを供給するアルコールポンプ１１０も、共に１つしか有さず、すなわち、第１洗浄槽１４ａおよび第２洗浄槽１４ｂで共用する。
なお、これらのポンプも、公知の各種のポンプを利用すればよいが、定量ポンプを用いるのが好ましいのは、もちろんであり、また、各タンクが洗浄槽１４よりも下方に位置する場合には、ダイアフラムポンプ等の自給式の定量ポンプを用いるのが好ましい。
【００４８】
さらに、内視鏡５０の各チャンネルの漏水検知を行なうための第１エアポンプ１１４、内視鏡５０の各チャンネル内に処理液を排出するための空気を供給するための第２エアポンプ１１６、および、排水ポンプ１１８も、共に１つしか有さず、すなわち、２つの洗浄槽１４で共用する。第１エアポンプ１１４および第２エアポンプ１１６の空気導入口には、エアフィルタ１２０が設けられる。
【００４９】
すなわち、洗浄消毒装置１０は、第１洗浄槽１４ａおよび第２洗浄槽１４ｂで各種のポンプやタンクは共用するが、第１洗浄槽１４ａおよび第２洗浄槽１４ｂ、両洗浄槽１４での洗浄を独立、かつ、非同期で行なうために、図４に示すように、両洗浄槽１４に対して、互いに独立した配管系を有している。
【００５０】
図示例において、消毒液タンク１０２には、タンク内の消毒液の量を測定するためのレベルセンサ１０２Ｌと、消毒液を消毒液タンク１０２に供給する、消毒液が充填された消毒液ボトルＢの取付部１０２Ａが設けられている。図示例においては、一例として、２つの取付部１０２Ａを有している。また、消毒液タンク１０２には、消毒液の匂いが外部に漏れるのを防止するための消臭フィルタ１０２Ｆが設けられる。さらに、消毒液タンク１０２は、消毒液タンク１０２への埃や雑菌等の異物の混入を防止するためのエアフィルタを有してもよい。
洗浄消毒装置１０においては、次の消毒液の補充まで、消毒液ボトルＢを取り付けた状態にできる構成とし、この消毒液ボトルＢを取り付け部１０２Ａの蓋体、すなわち、消毒液タンク１０２の蓋体として作用させてもよい。
【００５１】
また、洗浄液タンク１００には、洗浄液が洗浄液タンク１００から排出されることを防止するため逆支弁１００Ｖが設けられ、さらに、アルコールタンク１０４にも、アルコールがアルコールタンク１０４から排出されることを防止するための逆支弁１０４Ｖが設けられている。
【００５２】
以下に、各洗浄槽１４に対する配管系統を説明する。
ここで、第１洗浄槽１４ａおよび第２洗浄槽１４ｂは、配管系統も、同じ構成を有する部分が多いので、以下の説明は、第１洗浄槽１４ａを代表として行い、第２洗浄槽１４ｂに関しては、必要に応じて説明する。
【００５３】
第１洗浄槽１４ａ（第２洗浄槽１４ｂ）内には、内視鏡５０の鉗子起上チャンネル（その口金（コネクタ部）  以下、同様）を接続するための鉗子起上ポート１２４ａ（１２４ｂ）、同鉗子を挿入するための鉗子チャンネルを接続するための鉗子ポート１２６ａ（１２６ｂ）、同送気送水チャンネルを接続するための送気送水ポート１２８ａ（１２８ｂ）、および、同吸引チャンネルを接続するための吸引ポート１３０ａ（１３０ｂ）が設けられる。
また、第１洗浄槽１４ａ内には、各処理液を導入するための導入口が設けられる。具体的には、洗浄液を導入するための洗浄液口１３２ａ（１３２ｂ）、消毒液を導入する消毒液口１３４ａ（１３４ｂ）、水道水を導入する給水口１３６ａ（１３６ｂ）が形成されている。第１洗浄槽１４ａ内には、さらに、漏水検知を行なうための空気を導入する空気口１３８ａ（１３８ｂ）、および、排水口１４４ａ（１４４ｂ）が設けられる。
さらに、第１洗浄槽１４ａには、槽内の処理液（洗浄液、消毒液、水道水等）を循環するための、循環ポンプ１８２ａ（１８２ｂ）が設けられる。
【００５４】
また、第１洗浄槽１４ａには、槽内の液量を検出するためのレベルセンサ１４２ａ（１４２ｂ）、槽内の液温を測定するための温度計ＴＥ、および、槽内の液体を加熱するためのヒータＨが設けられる。
レベルセンサ１４２ａは、一例として、４段階で液量を検出できるものである（あるいは、４つのレベルセンサが設けられている）。
【００５５】
鉗子起上ポート１２４ａは、バルブ１５０ａ（１５０ｂ）を介して、鉗子ポート１２６ａは、バルブ１５２ａ（１５２ｂ）を介して、送気送水ポート１２８ａはバルブ１５４ａ（１５４ｂ）を介して、さらに、吸引ポート１３０ａはバルブ１５６ａ（１５６ｂ）を介して、共に、バルブ１５８ａ、１６０ａ、および１６２ａ（１５８ｂ、１６０ｂ、および１６２ｂ）に接続される。
バルブ１５０ａ、バルブ１５２ａ、バルブ１５４ａ、およびバルブ１５６ａは、１本の配管に並列に接続され、また、バルブ１５８ａ、１６０ａ、および１６２ａも、同様に、１本の配管に並列に接続されている。
なお、洗浄消毒装置１０において、バルブには、特に限定はなく、電磁弁や電動弁等の公知の自動開閉可能なバルブを利用すればよい。
【００５６】
このバルブ１５８ａ（１５８ｂ）は、アルコールタンク１０４のアルコール供給ポンプ１１０に接続される。
また、バルブ１６０ａ（１６０ｂ）は、前記内視鏡５０の各チャンネル内に空気を導入するための第２エアポンプ１１６に接続される。
さらに、バルブ１６２ａ（１６２ｂ）は、洗浄消毒装置１０の各部位に水道水を供給するための水供給ライン１６４に接続される。
【００５７】
水供給ライン１６４は、上水道の蛇口等に接続され、洗浄消毒装置１０に水道水を供給するためのものであり、図４に示すように、上流より、水道水を清浄化するためのフィルタ１６６、装置内の配管系に過剰な圧力が係る事を防止するための減圧弁１６８、第１バルブ１７０、および第２バルブ１７２を有して構成される。
前記バルブ１６２ａからの配管は、水供給ライン１６４の第１バルブ１７０と第２バルブ１７２との間に接続される（以下、このバルブ１６２ａから、第１バルブ１７０と第２バルブ１７２との間に至る配管を、便宜的に、水供給管１６３ａ（１６３ｂ）とする）。この水供給管１６３ａは、途中で分岐して、後述する第１洗浄槽１４ａ（第２洗浄槽１４ｂ）の循環ポンプ１８２ａ（１８２ｂ）および給水口１３６ａに設けられるバルブ１８０ａ（１８０ｂ）に接続される。
さらに、第２バルブ１７２は、消毒液タンク１０２、および、第１洗浄槽の排出口１４４ａに接続されるバルブ１９８ａ（１９８ｂ）に接続される。
【００５８】
一方、洗浄液口１３２ａは、バルブ１７６ａ（１７６ｂ）を介して、洗浄液ポンプ１０６に接続される。消毒液口１３４ａは、バルブ１７８ａ（１７８ｂ）を介して、消毒液ポンプ１０８に接続される。さらに、給水口１３６ａは、バルブ１８０ａ（１８０ｂ）を介して、前記水供給管１６３ａ（１６３ｂ）に接続される。言い換えれば、水供給管１６３ａから分岐する分岐管が、バルブ１８０ａすなわち給水口１３６ａに接続される。
第１洗浄槽１４ａ（第２洗浄槽１４ｂ）には、循環ポンプ１８２ａ（１８２ｂ）が接続される。この循環ポンプ１８２ａは、第１洗浄槽１４ａ内の液体を、前記水供給管１６３ａから分岐してバルブ１８０ａ（すなわち給水口１３６ａ）に至る分岐管に供給する。
【００５９】
漏水検知のための空気を導入する空気口１３８ａは、バルブ１８４ａ（１８４ｂ）を介して、第１エアポンプ１１４に接続される減圧弁１８６に接続される。
また、空気口１３８ａからバルブ１８４ａへの配管には、圧力計１８８ａ（１８８ｂ）が配置される。なお、圧力計１８８ａは、圧力が所定圧となった時点で第１エアポンプ１１４に信号を出力する圧力トランスミッタ等であるのが好ましい。
【００６０】
排出口１４４ａは、バルブ１９０ａ（１９０ｂ）を介して、排水ポンプ１１８に接続される。
なお、排水ポンプ１１８は、バルブ１９２を有する排水ライン１９４に、洗浄槽１４内の液体等を送る。また、水供給ライン１６４と排水ライン１９４とは、バイパスバルブ１９６を介して、水供給ライン１６４のフィルタ１６６の上流と、排水ライン１９４のバルブ１９２の上流とで、接続される。
また、排出口１４４ａとバルブ１９０ａとの間の配管は、途中で分岐して、バルブ１９８ａ（１９８ｂ）を介して、水供給ライン１６４の第２バルブ１７２および消毒液タンク１０２に接続される。
【００６１】
洗浄消毒装置１０においては、基本的に、洗浄工程→消毒工程→すすぎ工程の順で、内視鏡５０の洗浄を行なう。
以下、洗浄消毒装置１０による内視鏡５０の洗浄の作用の一例を説明する。以下の説明も、第１洗浄槽１４ａを代表に行なうが、第２洗浄槽１４ｂも、全く同様にして内視鏡５０の洗浄を行なうことができる。また、以下の説明では、特に記載しなくても、各工程の各処理の説明において、開放と記載したバルブ以外は、全てのバルブは閉塞しており、また、駆動と記載したポンプ以外は、全て停止している。
さらに、洗浄消毒装置１０では、必要に応じて内視鏡５０の漏水検知を行なうが、以下の例では、漏水検知を洗浄工程を行なうための水道水を洗浄槽１４に導入した時点で行なうこととして説明する。
【００６２】
まず、係合手段３４によって操作部５６が、係合手段３６によってコネクタ５８が、それぞれ位置決めされて、オペレータによって第１洗浄槽１４ａの所定位置に内視鏡５０がセットされ、また、鉗子起上ポート１２４ａに内視鏡５０の鉗子起上チャンネルが、鉗子ポート１２６ａに同鉗子チャンネルが、送気送水ポート１２８ａに同送気送水チャンネルが、吸引ポート１３０ａに同吸引管チャンネルが、それぞれ接続される。また、空気口１３８ａ（１３８ｂ）と内視鏡５０に設けられた漏水検知用の加圧ポートとを接続する。
なお、各ポートと内視鏡５０の各チャンネルとの接続は、コネクタや接続管等を用いた、内視鏡洗浄消毒装置で行なわれている公知の手段で行なえばよい。
【００６３】
内視鏡５０のセットが終了し、洗浄開始の指示が入力されたら、洗浄消毒装置１０は、まず最初に、洗浄液を用いて内視鏡５０を洗浄する洗浄工程を行なう。
【００６４】
洗浄工程においては、まず、水供給ライン１６４の減圧弁１６８および第１バルブ１７０、ならびに、給水口１３６ａに接続するバルブ１８０ａを開放して、水供給ライン１６４から水供給管１６３ａを経て、給水口１３６ａから第１洗浄槽１４ａ内に、所定量の水道水を導入する。
【００６５】
水道水の導入が終了したら、洗浄液の導入に先立ち、必要に応じて漏水検知を行なう。
漏水検知においては、照明手段２００による照明が点灯し、洗浄槽１４内が底面２２から明るく照らし出される。
【００６６】
水道水の導入が終了したら、第１エアポンプ１１４を駆動して、減圧弁１８６およびバルブ１８４ａを開放する。圧力計１８８ａによる測定値が所定圧となった時点で、第１エアポンプ１１４の駆動を停止する。なお、この停止は、圧力測定結果に応じた圧力計１８８ａから第１エアポンプ１１４への信号に応じて、自動的に行なうのが好ましい。
加圧が終了したら、目視によって、内視鏡５０から気泡が出ているかどうかを確認する。
【００６７】
ここで、照明手段２００は、洗浄槽１４ａの下部から洗浄槽１４ａ内を明るく照らしているため、洗浄槽１４ａ内に気泡が存在しているかどうかを容易に確認することができる。
このようにすることで、周囲の明るさの状況に左右されることなく、常に一定の水準で気泡の有無を確認することができ、正確な漏水検知を行なうことができる。
【００６８】
ここで、気泡が出ている場合には、内視鏡５０のいずれかのチャンネルが漏水している可能性があるので、この時点で、内視鏡５０の洗浄は中止する。
【００６９】
漏水検知が終了したら、次に、洗浄工程に戻り、洗浄液を第１洗浄槽１４ａ内に導入する。
洗浄液口１３２ａに接続するバルブ１７６ａを開放して、洗浄液ポンプ１０６を駆動して、洗浄液タンク１００から洗浄液口１３２ａに洗浄液を供給して、第１洗浄槽１４ａ内に、所定量の洗浄液を供給する（洗浄液導入）。
【００７０】
洗浄液を第１洗浄槽１４ａに導入したら、バルブ１６２ａを開放して、循環ポンプ１８２ａを駆動し、かつ、一例として、鉗子起上ポート１２４ａに接続するバルブ１５０ａ、鉗子ポート１２６ａに接続するバルブ１５２ａ、送気送水ポート１２８ａに接続するバルブ１５４ａ、および、吸引ポート１３０ａに接続するバルブ１５６ａを、１個ずつ、順次、所定時間だけ開放する。なお、バルブ開放時間は、各ポートで同じでも異なってもよい。
これにより、内視鏡５０の各チャンネル内を通して第１洗浄槽１４ａ内の洗浄液を循環して、洗浄水による内視鏡５０の各チャンネルの洗浄を、順次、行なう（チャンネル洗浄）。
【００７１】
チャンネル洗浄を終了したら、給水口１３６ａに対応するバルブ１８０ａを開放して循環ポンプ１８２ａを駆動する。
これにより、内視鏡５０の外部で、第１洗浄槽１４ａ内の洗浄液を循環して、洗浄水による内視鏡５０の外部の洗浄を行なう（外部流水洗浄）。
【００７２】
外部流水洗浄を、所定時間、行なったら、バルブ１９０ａおよびバルブ１９２を開放して、排水ポンプ１１８を駆動して、第１洗浄槽１４内の洗浄液を排水する（洗浄排水）。
第１洗浄槽１４内の洗浄液を全て排水したら、バルブ１９０ａおよびバルブ１９２は開放したままで、さらに、バルブ１６０ａを開放して、第２エアポンプ１１６を駆動し、かつ、鉗子起上ポート１２４ａに接続するバルブ１５０ａ、鉗子ポート１２６ａに接続するバルブ１５２ａ、送気送水ポート１２８ａに接続するバルブ１５４ａ、および、吸引ポート１３０ａに接続するバルブ１５６ａを、１個ずつ、順次、開放する。
これにより、鉗子起上ポート１２４ａ、鉗子ポート１２６ａ、送気送水ポート１２８ａ、および吸引ポート１３０ａから、内視鏡５０の各チャンネルに空気を送り込み、チャンネル内に残っている洗浄液を内視鏡５０から排出する（洗浄送気）。
【００７３】
次いで、水道水による内視鏡５０のすすぎを行なう。
水道水による内視鏡５０のすすぎは、基本的に、第１洗浄槽１４への洗浄液導入を行なわない以外は、洗浄液による内視鏡５０の洗浄と同様に行なう。
すなわち、まず、減圧弁１６８、第１バルブ１７０、および、バルブ１８０ａを開放して第１洗浄槽１４ａ内に所定量の水道水を導入する（水道水導入）。
第１洗浄槽１４ａに所定量の水道水を導入したら、バルブ１６２ａを開放し、循環ポンプ１８２ａを駆動して、かつ、バルブ１５０ａ、バルブ１５２ａ、バルブ１５４ａ、およびバルブ１５６ａを、１個ずつ、順次、開放して、チャンネル洗浄と同様にして内視鏡５０の各チャンネルを水道水ですすぐ、チャンネルすすぎを行い、その後、バルブ１８０ａを開放して循環ポンプ１８２ａを駆動して、外部流水洗浄と同様にして、内視鏡５０外部を水道水ですすぐ、外部流水すすぎを行なう。
外部流水すすぎが終了したら、バルブ１９０ａおよびバルブ１９２を開放して、排水ポンプ１１８を駆動して、洗浄排水と同様にしてすすぎ工程における排水を行い、次いで、バルブ１６０ａを開放して、第２エアポンプ１１６を駆動し、バルブ１５０ａ、バルブ１５２ａ、バルブ１５４ａ、およびバルブ１５６ａを、順次、１個ずつ開放して、洗浄送気と同様にして、送気を行ない、洗浄工程が終了する。
【００７４】
なお、本実施形態においては、洗浄液による内視鏡５０の洗浄と、水道水による内視鏡５０のすすぎとを１つの工程として洗浄工程としたが、洗浄液による内視鏡５０の洗浄と、水道水による内視鏡５０のすすぎとを別々の工程としてもよい。つまり、本実施形態においては、洗浄工程→消毒工程→すすぎ工程の３つの工程によって内視鏡５０の洗浄を行なったが、洗浄工程→洗浄後のすすぎ工程→消毒工程→消毒後のすすぎ工程の４つの工程によって内視鏡５０の洗浄を行なってもよい。
【００７５】
洗浄工程が終了したら、次いで、消毒工程を行なう。
消毒工程においては、まず、消毒液口１３４ａに接続するバルブ１７８ａを開放して、消毒液ポンプ１０８を駆動し、所定量の消毒液を第１洗浄槽１４ａ内に導入する（消毒液導入）。
【００７６】
第１洗浄槽１４ａに所定量の消毒液を導入したら、前述のチャンネル洗浄と同様にして、内視鏡５０の各チャンネル内の消毒を行なう。
すなわち、バルブ１６２ａを開放して、循環ポンプ１８２ａを駆動すると共に、内視鏡５０の各チャンネルを接続するポートに接続されるバルブ１５０ａ、バルブ１５２ａ、バルブ１５４ａ、およびバルブ１５６ａを、１個ずつ、順次、所定時間だけ開放する。
これにより、内視鏡５０内の各チャンネルを通して第１洗浄槽１４ａ内の消毒液を循環して、消毒液による内視鏡５０の各チャンネルの消毒を行なう（チャンネル消毒）。
【００７７】
チャンネル消毒が終了したら、前述の外部流水洗浄と同様に、内視鏡５０外部の消毒を行なう。
すなわち、給水口１３６ａに対応するバルブ１８０ａを開放して循環ポンプ１８２ａを駆動して、内視鏡５０の外部で第１洗浄槽１４ａ内の消毒液を循環して、消毒液による内視鏡５０の外部の消毒を行なう（外部流水消毒）。
【００７８】
外部流水消毒を、所定時間、行なったら、排出口１４４ａに接続するバルブ１９８ａを開放して、消毒液を消毒液タンク１０２に戻す（消毒液回収）。
図示例の洗浄消毒装置１０においては、消毒液の回収にはポンプ等は用いず、自重による落下で消毒液を消毒液タンク１０２に回収する。
【００７９】
第１洗浄槽１４ａ内の消毒液を消毒液タンク１０２に回収したら、前記洗浄送気と同様に、内視鏡５０の各チャンネルに送気を行なう。
すなわち、バルブ１６０ａを開放して、第２エアポンプ１１６を駆動すると共に、バルブ１５０ａ、バルブ１５２ａ、バルブ１５４ａ、およびバルブ１５６ａを、１個ずつ、順次、開放する。これにより、鉗子起上ポート１２４ａ、鉗子ポート１２６ａ、送気送水ポート１２８ａ、および吸引ポート１３０ａから、内視鏡５０の各チャンネルに空気を送り込み、チャンネル内に残っている消毒液を内視鏡５０から排出する（消毒送気）。
【００８０】
以上で消毒工程を終了して、次いで、すすぎ工程を行なう。
すすぎ工程も、基本的に、洗浄工程における水道水による内視鏡５０のすすぎと同様に行なう。
すなわち、まず、減圧弁１６８、バルブ１８０ａ、および第１バルブ１７０を開放して第１洗浄槽１４ａ内に所定量の水道水を導入する（水道水導入）。
水道水導入を終了したら、バルブ１６２ａを開放して、循環ポンプ１８２ａを駆動すると共に、バルブ１５０ａ、バルブ１５２ａ、バルブ１５４ａ、およびバルブ１５６ａを、１個ずつ、順次、所定時間だけ開放して水道水によって内視鏡５０の各チャンネルをすすぐ、チャンネルすすぎを行う。次いで、バルブ１８０ａを開放して循環ポンプ１８２ａを駆動して、内視鏡５０の外部を水道水ですすぐ、外部流水すすぎを行なう。
外部流水すすぎが終了したら、バルブ１９０ａおよびバルブ１９２を開放して、排水ポンプ１１８を駆動して、すすぎ工程における排水を行う。その後、バルブ１６０ａを開放して、第２エアポンプ１１６を駆動すると共に、バルブ１５０ａ、バルブ１５２ａ、バルブ１５４ａ、およびバルブ１５６ａを、１個ずつ、順次、開放して、すすぎ工程における送気を行ない、すすぎ工程が終了する。
【００８１】
すすぎ工程が終了したら、洗浄消毒装置１０による内視鏡５０の洗浄を終了し、例えばディスプレイ表示や警告音の発生等によって、オペレータに内視鏡５０の洗浄が終了した旨を報告する。
【００８２】
ここで、本実施形態では、内視鏡５０の漏水検知を、洗浄工程を行なうための水道水を洗浄槽１４に導入した時点で行なうこととしているが、漏水検知を行なうタイミングはこれに限定されないのはもちろんである。
例えば、洗浄工程を行なうための洗浄液を洗浄槽１４に導入した時点で行なってもよいし、洗浄工程における水道水による内視鏡５０のすすぎを行なうための水道水を洗浄槽１４に導入した時点で行なってもよい。
さらに、消毒工程を行なうための消毒液を洗浄槽１４に導入した時点や、すすぎ工程を行なうための水道水を洗浄槽１４に導入した時点で行なってもよい。
【００８３】
内視鏡５０の漏水検知は、内視鏡５０の洗浄を行なう毎に行なってもよいし、所定の洗浄回数ごとに行なうこととしてもよい。また、オペレータによって入力される指示に応じで行なうこととしてもよい。
さらに、内視鏡５０の洗浄とは別に、内視鏡５０の漏水検知のみを独立して行なうこととしてもよい。
【００８４】
なお、前述のように、洗浄消毒装置１０は、タンクやポンプなどの多くの物を第１洗浄槽１４ａと第２洗浄槽１４ｂとで共用しているが、両洗浄槽は、洗浄液等の供給系、水供給ライン１６４および排水ライン１９４以外は、共に、独立した配管系を持っているので、両洗浄槽１４で同時に同じ処理を行なうことも、同時に互いに異なる処理（両洗浄槽１４で非同期の処理）を行なうことも可能である。
【００８５】
洗浄消毒装置１０において、内視鏡５０の洗浄は、基本的に、以上のように行なわれるが、洗浄消毒装置１０は、このような洗浄以外にも、アルコールフラッシュや自己消毒等の各種の処理を行なうことが可能である。
【００８６】
ここで、本実施形態の洗浄消毒装置１０では、洗浄槽１４の下部に照明手段２００を設け、漏水検知の際に洗浄槽１４内を底面２２から明るく照らし出すことによって、内視鏡５０の漏水箇所を通して外部に漏れ出す気泡の発見を容易にできるようにしているが、さらに気泡の周囲の液体を変色させ、より好ましくは気泡が強調される色に変色させることによって、より容易に気泡の発見を行なうことができるようにしてもよい。
【００８７】
図５に、漏水検知の際に内視鏡５０の漏水箇所を通して外部に漏れ出す気泡の周囲の液体を変色させる機能を有した洗浄消毒装置１１の配管系統の概略を示す。なお、洗浄消毒装置１０と同じ部材については同じ符号を付し、詳細な説明は省略する。
洗浄消毒装置１１は、洗浄消毒装置１０における配管系統に加えて、発色液を充填する発色液タンク２０８と、洗浄槽１４に発色液を供給するための発色液供給ライン２１６とを有する。
さらに、洗浄消毒装置１０において設けられていた第１エアポンプ１１４およびエアフィルタ１２０を有さず、減圧弁１８６には、ガスボンベ２０６が接続される。
【００８８】
発色液供給ライン２１６は、発色液タンク２０８に接続され、洗浄消毒装置１１に発色液を供給するためのものであり、図５に示すように、上流より、発色液を洗浄槽１４内に供給するための発色液ポンプ２１０、バルブ２１２を有して構成される。バルブ２１２からの配管は、水供給ライン１６４の第１バルブ１７０と、第２バルブ１７２との間に接続される。
【００８９】
洗浄消毒装置１１は、前述のようにガスボンベ２０６および発色液タンク２０８を有し、ガスボンベ２０６から内視鏡５０内部に送気される所定の気体と、発色液タンク２０８によって洗浄槽１４内に供給される発色液が反応することで、内視鏡５０の漏水箇所から漏れ出す気泡の周囲の液体を変色させ、より好ましくは気泡が強調される色に変色させる。
【００９０】
発色液タンク２０８は、洗浄槽１４内に供給する発色液を貯留するタンクである。本実施形態では、発色液としてＰＨ指示薬を用いる。
ここで、ＰＨ指示薬としては、ｐ・ニトロフェノールやフェノールレッド、ブロモチモールブルー、ブロムクレゾールパープル、フェノールフタレイン、メチルオレンジ、メチルレッド、チモールブルーが挙げられる。
なお、ＰＨ指示薬の中でも、内視鏡５０の構成材料に影響を与えないようにするため、中性近傍に変色域を有するＰＨ指示薬を用いることが好ましい。中性近傍に変色域を有するＰＨ指示薬としては、ｐ・ニトロフェノールやフェノールレッドが挙げられる。
【００９１】
ガスボンベ２０６は、内視鏡５０の内部に所定の気体を送気する供給源である。本実施形態では、所定の気体として、洗浄槽１４内の液体に溶け込むことで、液体のＰＨを変化させる気体を用いる。洗浄槽１４内の液体に溶け込むことで、液体のＰＨを変化させる気体としては、二酸化炭素等が挙げられる。
【００９２】
以下、洗浄消毒装置１１における漏水検知について説明する。ここで、洗浄消毒装置１１においても、漏水検知を洗浄工程を行なうための水道水を洗浄槽１４に導入した時点で行なうこととして説明する。
洗浄消毒装置１０における漏水検知と同様に、第１洗浄槽１４ａに洗浄のための水道水の導入が終了したら、照明手段２００による照明が点灯し、第１洗浄槽１４ａ内を底面２２から明るく照らし出す。
また、発色液供給ライン２１６のバルブ２１２が開放されて、発色液ポンプ２１０を作動させることで、発色液ライン２１６から水供給管１６３ａを経て、給水口１３６ａから第１洗浄槽１４ａ内に所定量の発色液、本実施形態においてはＰＨ指示薬、例えばｐ・ニトロフェノールが導入される。
【００９３】
水道水および発色液の導入が終了したら、バルブ１８４ａおよび減圧弁１８６を開放する。これにより、内視鏡５０内部には、ガスボンベ２０６から所定の気体、本実施形態では第１洗浄槽１４ａ内の液体に溶け込むことで、液体のＰＨを変化させる気体、例えば二酸化炭素が導入される。
二酸化炭素の導入が終了したら、目視によって内視鏡５０から気泡が出ているかどうかを確認することによって、漏水検知を行なう。
【００９４】
このとき、内視鏡５０に漏水箇所があると、内視鏡５０内部に導入した二酸化炭素が漏水箇所から第１洗浄槽１４ａに導入した水道水および発色液に漏れ出し、気泡となる。
さらに、気泡となった二酸化炭素は一部が水道水に溶け、気泡の周囲の液体のＰＨを中性から酸性へと変化させる。本実施形態では、第１洗浄槽１４ａ内には水道水とともに、発色溶液としてｐ・ニトロフェノールが導入されているため、ＰＨの変化とともに、気泡の周囲の液体の水道水は無色から黄色へと変化する。
【００９５】
このように、漏水検知の際に、照明手段２００によって第１洗浄槽１４ａ内を明るく照らし出すのに加えて、内視鏡５０の漏水箇所を通して漏れ出す気泡の周囲の液体の色を変化させ、また、より好ましくは気泡が強調される色に変化させることで、気泡の発見をより容易に行なうことができ、その結果、正確な漏水検知を行なうことができる。
【００９６】
照明手段２００は、図示例においては、洗浄槽１４の下部に設置し、底面２２から洗浄槽１４内を照明したが、洗浄槽１４内を照明することができれば、照明手段２００が設置される場所および数はこれに限定されるわけではない。
例えば、洗浄槽１４の１以上の側面に照明手段２００を設置し、洗浄槽１４内を照明してもよい。また、内視鏡５０を洗浄槽１４にセットする際に邪魔にならないように防水状態の光源を洗浄槽１４内に設置してもよい。
あるいは、底面２２と側面からの照射の組み合わせや、底面２２からの照射と洗浄槽１４内光源との組み合わせ等であってもよい。また、底面２２や側面、特に漏水検知での視認性を考慮すると、底面２２の全面から洗浄槽１４内を照明するのが好ましいが、本発明は、これに限定はされず、半面や２／３面等の部分的な照射でもよく、あるいは、底面２２半面と側面半面の組み合わせ等であってもよい。
ただし、前述した内視鏡５０内部から漏水箇所を通して外部に漏れ出す気泡の有無によって漏水検知を行なう際に、気泡を確認するためには下側から気泡を照らしだすことが最も識別が行ない易いため、少なくとも洗浄槽１４の下部に設けられるのが好ましい。
【００９７】
また、図示例の洗浄消毒装置１０は、２つの洗浄槽１４に対して、各１個の洗浄液タンク１００、消毒液タンク１０２、およびアルコールタンク１０４を有し、かつ、各１個の洗浄液ポンプ１０６、消毒液ポンプ１０８、および、アルコールポンプ１１０（すなわち、各タンクに１個のポンプ）を有するものであるが、本発明は、これに限定はされない。
【００９８】
例えば、本発明の内視鏡洗浄消毒装置は、各２個の洗浄液タンク１００、消毒液タンク１０２、およびアルコールタンク１０４（あるいはさらに、発色液タンク２０８）を有し、かつ、各２個の洗浄液ポンプ１０６、消毒液ポンプ１０８、および、アルコールポンプ１１０（あるいはさらに、発色液ポンプ２１０）を有し、これらの供給系に関しては、第１洗浄槽１４ａと第２洗浄槽１４ｂとで、まったく独立した配管系を有するものでもよい。
また、各２個の洗浄液タンク１００、消毒液タンク１０２、およびアルコールタンク１０４（あるいはさらに、発色液タンク２０８）を有し、かつ、各１個の洗浄液ポンプ１０６、消毒液ポンプ１０８、および、アルコールポンプ１１０（あるいはさらに、発色液ポンプ２１０）を有し、処理液のタンクは、第１洗浄槽１４ａと第２洗浄槽１４ｂとで独立して持ち、ポンプは２つの洗浄槽１４で共用する構成であってもよい。
さらに、各１個の洗浄液タンク１００、消毒液タンク１０２、およびアルコールタンク１０４（あるいはさらに、発色液タンク２０８）を有し、かつ、各２個の洗浄液ポンプ１０６、消毒液ポンプ１０８、および、アルコールポンプ１１０（あるいはさらに、発色液ポンプ２１０）を有し、処理液のタンクは、２つの洗浄槽１４で共用し、処理液を供給するポンプは、第１洗浄槽１４ａと第２洗浄槽１４ｂとで独立で有する構成であってもよい。
【００９９】
また、本実施形態の内視鏡洗浄消毒装置１０は、図１に示すように、洗浄槽１４の底面２２が長手方向に傾斜する構成を有しているが、洗浄槽１４の底面の形状はこれに限定されない。
【０１００】
例えば、図６は、本発明の内視鏡洗浄消毒装置の他の一例の概略図を示す。図６において、（Ａ）は斜視図、（Ｂ）は側面図である。
図６に示す内視鏡洗浄消毒装置１３は、洗浄槽の底面の形状および蓋体の形状が内視鏡洗浄消毒装置１０と異なる以外は、同様の形状および部材を有している。ここで、洗浄槽１５（第１洗浄槽１５ａ、第２洗浄槽１５ｂ）の底面２３は、底面２２のように長手方向に傾斜する構成を有さず、平坦な形状を有している。また、蓋体２１も、蓋体２０のように凸状（凸部を有する）のような形状を有さず、板状の形状を有している。このように、洗浄槽の底面の形状および蓋体の形状は、それぞれ、平坦な形状および板状の形状であってもよく、底面２２のような長手方向に傾斜する形状、蓋体２０のような凸部を有するような形状に限定はされない。
また、これらの形状以外にも、蓋体および底面が正方形や丸型の形状を有していてもよい。
【０１０１】
以上、本発明の内視鏡洗浄消毒装置について詳細に説明したが、本発明は、上記実施例に限定はされず、本発明の要旨を逸脱しない範囲において、各種の改良や変更を行なってもよいのは、もちろんである。
【図面の簡単な説明】
【０１０２】
【図１】本発明の内視鏡洗浄消毒装置の一例の概念図であって、（Ａ）は斜視図、（Ｂ）は側面図である。
【図２】図１に示す内視鏡洗浄消毒装置の上面を概念的に示す図である。
【図３】本発明の内視鏡洗浄消毒装置の制御部を示すブロック図である。
【図４】図１に示す内視鏡洗浄消毒装置の配管系統図である。
【図５】本発明の内視鏡洗浄消毒装置の他の一例の配管系統図である。
【図６】本発明の内視鏡洗浄消毒装置の他の一例の概念図であって、（Ａ）は斜視図、（Ｂ）は側面図である。
【符号の説明】
【０１０３】
１０、１１、１３  内視鏡洗浄消毒装置
１４、１５  洗浄槽
１４ａ、１５ａ  第１洗浄槽
１４ｂ、１５ｂ  第２洗浄槽
２０、２１  蓋体
２２、２３  底面
２４  支点（回転軸）
２６  操作パネル
２８  スタートボタン
３０  フットペダル
３４、３６  係合部材
５０  内視鏡
５２  挿入部
５４  ユニバーサルコード
５６  操作部
５８  コネクタ
６０  制御部
６２  ＣＰＵ
６４  ＲＡＭ
６６  ＲＯＭ
６８  Ｉ／Ｏ制御回路
７０  通信Ｉ／Ｆ回路
７２  パネルＩ／Ｆ回路
７４  照明Ｉ／Ｆ回路
７６  クロック
７８  リセット回路
８０  負荷部品駆動回路
８２  センサＩ／Ｆ回路
８４  Ａ／Ｄ変換回路
８６  ＬＡＮ
８８  ＲＦＩＤ  Ｒ／Ｗ
９０  プリンタ
９２  表示・操作パネル
１００  洗浄液タンク
１０２  消毒液タンク
１０４  アルコールタンク
１０６  洗浄液ポンプ
１０８  消毒液ポンプ
２００  照明手段
２０６  ガスボンベ
２０８  発色液タンク
２１０  発色液ポンプ
【図１】
2009077770.tif 000003
【図２】
2009077770.tif 000004
【図３】
2009077770.tif 000005
【図４】
2009077770.tif 000006
【図５】
2009077770.tif 000007
【図６】
2009077770.tif 000008